(57)【要約】      （修正有）【課題】刷毛のみならず、ローラーを用いて塗装作業を行う場合においても、ローラーの回転面部分に含まれる塗料の内の余剰な塗料を内容器内に流れ落とすことを可能にする塗装内容器を提供する。【解決手段】塗装容器に嵌合される、合成樹脂より成る内容器１は、側面部３の内面３ＩＳの内で、平面視に於いて略円形の開口部を成す上端縁３ＵＥＰと、底面部４の内面４ＩＳとの間の内面部上に配設されている段差部２を備える。段差部２は、内面３ＩＳから内容器１の内側中心部に向けて突出している上面２ＴＳと、上面２ＴＳの一端に結合し且つ当該結合部分から底面４の内面４ＩＳに向けて延在して平坦な壁面を成す表面２ＳＳとを、有する。更に、段差部２の表面２ＳＳ上には、複数の突起部２ＰＰが配設されている。【選択図】図１
0003191051.tif 000002
【実用新案登録請求の範囲】
【請求項１】
塗装作業時に用いる塗装容器の内側に嵌合されるバケツ状の容器であり且つ塗料が入れられる塗装内容器であって、
平面視に於いて略円形の開口部を成す上端縁と底面との間の内面上に配設されており、
前記内面から前記塗装内容器の内側中心部に向けて突出している上面と、
前記上面の一端に結合し且つ当該結合部分から前記底面に向けて延在して壁面を成す表面と
を有する段差部
を備えることを特徴とする、塗装内容器。
【請求項２】
請求項１に記載の塗装内容器であって、
前記段差部の前記表面は、
複数の突起部を有する
ことを特徴とする、塗装内容器。
【請求項３】
請求項１又は２に記載の塗装内容器であって、
前記塗装内容器の外面は、
前記段差部の前記上面に全面的に対向した下面と、
前記段差部の前記表面に全面的に対向した裏面と
を有することを特徴とする、塗装内容器。
【考案の詳細な説明】
【技術分野】
【０００１】
この考案は、使い捨て用の塗装内容器の構造に関する。
【背景技術】
【０００２】
従来、塗装作業に於いては、作業者は、バケツの把手を有する金属製（スチール等）の塗装容器内に入れられた塗料（ペンキ）を当該容器内で刷毛に着けた上で、当該容器から取り出した刷毛を使用して塗料を壁面等に塗っていた。そして、塗装作業の終了後に於いては塗装容器内に残った塗料は固まってしまうため、当該塗料は塗装容器の内面に付着してしまう。別色の塗料を塗る場合には、このままの状態の塗装容器は使用できないので、内面に付着した塗料を除去する必要性がある。この場合、塗装容器を火であぶると、内面に付着した塗料は燃えてしまい、その後に有機溶液を用いて焼結した塗料を金属製タワシで擦ることで、内面に付着した塗料を除去することが可能である。この様な処理を施すことで、作業者は、塗装容器を使いまわすことが出来る。
【０００３】
しかし、斯かる作業をその都度行うことは面倒であるため、現在では、金属製等の塗装容器の内面側に、ポリエチレン等の合成樹脂製の内容器を嵌め込んで、当該内容器内に調合済みの塗料を入れた上で、刷毛を当該塗料に浸して当該塗料を刷毛に含ませた後に、当該刷毛で塗料を塗る作業が行われることになった（特許文献１の段落０００２の記載を参照。）。この場合には、内容器の内面に付着した塗料の残部をシンナーで洗うことによって当該塗料を溶かすことが出来、溶けた塗料を拭き取ることで、塗料の残部を除去することが可能であって、当該内容器を数回使った後に使い捨てにする。この様な樹脂製の内容器は、価格の面で、金属製等のバケツ状の塗装容器と比較して低廉であるので、使い手捨ての使用に適している。
【０００４】
とは言え、作業者が内容器内の塗料に浸して当該塗料から取り出した刷毛を当該内容器より取り出す際に、当該刷毛内に多量に含まれた塗料が垂れ落ちて、金属製の塗装容器の表面上或いはその周囲の外部に付着する（特許文献１の段落０００３の記載を参照。）。
【０００５】
そこで、この点を改善すべく、内容器の開口部を成す上縁部は一周に亘って内側に向けて傾斜されている。この内容器の上縁部の反り返り部分に、作業者は塗料より取り出した刷毛をなすり付けることで塗料を切って、刷毛に含まれた多量の塗料の一部を内容器内に落とすことで、内容器より取り出した際の刷毛に含まれる塗料の量を適切な量に調整することが出来る。
【先行技術文献】
【特許文献】
【０００６】
【特許文献１】実開平６−８３４００号
【考案の概要】
【考案が解決しようとする課題】
【０００７】
塗装作業に於ける塗料を塗る道具としては、刷毛の他に、ローラーも用いられる。ローラー使用の場合には、刷毛使用の場合と比較して、塗料への浸漬によりローラーの先端部分（毛の部分）に含まれる塗料の量は格段に多いので、刷毛で塗料を塗るよりも、多くの部分を一度に且つ各部分を早く塗料で以って塗ることが出来る利点がある。
【０００８】
ところが、ローラーの先端部分は、その把持部分との関係では横方向に該当する長手方向に延在している円柱体より成るため、上記内容器の開口縁の丸みがかった円周部分に対してローラーの先端部分を適切に変形させて当該先端部分をしごくことは容易ではない。そのため、上記の先端部分に多量の塗料が含まれたローラーを上記内容器より取り出す際に、刷毛の場合よりも多くの量の余剰の塗料が周囲の外部に流れ落ちて付着してしまうことになる。
【０００９】
従って、刷毛のしごきを可能にするのみならず、ローラーの先端部の面も回転して当該ローラーのしごきをも可能にする、使い捨て可能な内容器の実現が求められるところである。
【００１０】
この考案は、以上の問題点に鑑みて成されたものであり、その主目的は、塗装作業時に使用するローラーに含まれる塗料の量を、当該ローラーを用いた塗装作業に適切な量に調整可能な塗装内容器を実現することにある。
【課題を解決するための手段】
【００１１】
本考案の主題に係る塗装内容器は、塗装作業時に用いる塗装容器の内側に嵌合されるバケツ状の容器であり且つ塗料が入れられる塗装内容器であって、平面視に於いて略円形の開口部を成す上端縁と底面との間の内面上に配設されている段差部を備えることを特徴とする。この段差部は、前記内面から前記塗装内容器の内側中心部に向けて突出している上面と、前記上面の一端に結合し且つ当該結合部分から前記底面に向けて延在して壁面を成す表面とを、有する。
【００１２】
更に、本考案の副題に係る塗装内容器に於いては、前記段差部の前記表面は、複数の突起部を有する。
【考案の効果】
【００１３】
本考案の主題によれば、ローラーを、壁面等に塗料を塗るための道具として使用する場合において、塗装内容器内の塗料に浸漬された後に当該ローラーを塗装内容器より取り出して塗装作業を行う場合に、作業者は、ローラーの回転面を、塗装内容器内の段差部の壁面状の表面に擦り付けて当該ローラーを全体的に変形・しごくことが出来、刷毛の場合と比較して多量の余剰な塗料を塗装内容器内に流れ落とすことが出来る。このため、ローラーを塗装内容器より取り出して塗装作業を行う際に、塗装容器の周囲の外部にローラーに含まれた塗料の流れ落ちによる当該塗料の付着を防止することが出来る。
【００１４】
しかも、本考案の副題に係る塗装内容器によれば、複数の突起部がローラーの回転面の滑りを効果的に抑止して確実にローラーが回転することを促進し得るので、より一層に余剰な塗料の切れ具合を高めて、ローラーに含まれる塗料の量を最適化することが可能になる。
【００１５】
以下、本考案の様々な具体化を、添付図面を基に、その効果・利点と共に、詳述する。
【図面の簡単な説明】
【００１６】
【図１】本考案の実施の形態１に係る塗装内容器の内部構造を模式的に示す斜視図である。
【図２】本考案の実施の形態１に係る塗装内容器の外部構造を模式的に示す斜視図である。
【図３】図１のＡ１−Ａ２線に関する縦断面図である。
【図４】本考案の実施の形態１に係る塗装内容器に於けるローラーの塗料を切る作業を模式的に示す縦断面図である。
【考案を実施するための形態】
【００１７】
（実施の形態１）
＜本実施の形態の特徴点＞
本実施の形態に係る塗装内容器（以下、単に「内容器」という。）の構造の中核部は、従来の内容器の構成に対して、段差部が上端縁と底面との間の内面上に配設されている点にある。そして、この段差部は、内面から当該内容器の内側中心部に向けて突出しており、且つ、全体的に平坦な垂直に立設した壁面状の表面（壁面）を有している点にある。しかも、壁面状の表面上には、複数の突起部が配設されている。塗装作業でローラーを使用する場合には、ローラーの先端部のローラー部分は、本内容器内に注入された塗料の溜まりに浸漬された上で、その後に、当該塗料溜まりより引き出される。その際に、塗料を多量に含んだローラーの上記ローラー部分は、上記の壁面に押し付けられて回転しながら当該壁面の上方に向けて移動され、以って、余剰な塗料が切られて内容器内に流れ落とされる。このローラーの上記ローラー部分に含まれた余剰の塗料を切り落とすための平面部が、上記の壁面である。
【００１８】
＜塗装内容器１の構造＞
図１は、本実施の形態に係る内容器１の内面３ＩＳ側の構造を模式的に示す斜視図である。尚、図１は、作業時に壁等に塗るために調合された塗料が内容器１内に未だ注入されていない状態に於ける構造を示す図である。又、図２は、主として内容器１の外面３ＯＳ側の構造を、換言すれば、斜め方向に表側から内容器１を見た場合の構造を模式的に示す斜視図である。尚、図２に於いては、内容器１内に調合された塗料が注入された場合の当該塗料の溜まりである塗料溜まりＰＳが、破線にて示されている。更に、図３は、図１の断線Ａ１−Ａ２に関する縦断面構造を模式的に示す断面図である。
【００１９】
内容器１は、既述の「段差部２」を除いて、基本的には、従来の既述の内容器と同様の構成を備えている。従って、内容器１は、刷毛及びローラーの「しごき」による塗料調整の何れにも兼用可能な容器である。即ち、内容器１は、塗装作業時に於いて、スチール等の金属製又は合成樹脂のバケツ状の塗装容器（把持部を有する「提げ缶」に相当。図示せず。）の内側に嵌合される、同じくバケツ状の形状を有する容器であり、その内部に塗料が入れられる、使い捨て用の容器である。内容器１は、既述の通り、例えばポリエチレンの様な合成樹脂より構成されている。段差部２の構成は次の通りである。
【００２０】
図１に於いて、段差部１は、内容器１の側面部３の内面３ＩＳの内で、平面視に於いて略円形の開口部を成す上端縁ないしは開口縁３ＵＥＰよりも下方の部分と、内容器１の底面部４の内面４ＩＳとの間の内面部分に、配設されている。ここで、図１乃至図３の各図に示される様に、側面部３の上端縁３ＵＥＰは、その一周に亘って、外側に且つ上側に向けて傾斜し、その後に内側に且つ上方側に向けて傾斜する構造を成している。この形状により、内容器１の内部に注入された塗料の溜まりＰＳ（図２及び図３では破線で描かれている。）に浸漬された後に塗料溜まりＰＳより引き出された刷毛を、当該刷毛を内容器１から外部へ取り出す前に、一旦、上記の反り上がった上端縁３ＵＥＰに押し付けて刷毛をしならすことが出来る。この刷毛のしならせにより、刷毛に含まれる余剰の塗料は、内容器１内に、本例では内面３ＩＳの内で上端縁３ＵＥＰの付近側の凹部乃至は溝部３ＩＳＲ（側面部３の外側から見た場合には、図２に例示される様に、凸部又は突出部３Ｃとなる。）内に流れ落ちた上で、最終的に塗料溜まりＰＳ内に流れ落ちる。その結果、刷毛が内容器１より取り出された時点における、刷毛に含まれる塗料の量は、塗装作業に適した量に調整され得る。この点の構造及び作用効果は、従来の内容器の場合と同等である。尚、内容器１の内面３ＩＳの内で上記の凹部３ＩＳＲで挟まれた内面部分３ＩＳＰの外側部分には、目盛３Ｍが配設されている。
【００２１】
又、段差部２を、その上方に凹部３ＩＳＲを設けないで、内面３ＩＳの内で、上端縁３ＵＥＰの直下部分から底面４の内面４ＩＳに至るまでの内面部分上に配設しても良い。又は、段差部２の下端部の配設位置を、側面部３の内面３ＩＳの内で底面部４の内面４ＩＳよりも上方の部分に設定しても良い。それらの変形例の場合を含めて段差部２の配設位置を定義すると、段差部２は、上端縁と底面との間の内面上に配設されている。
【００２２】
段差部２は、図１及び図３に例示される様に、１）上面２ＴＳと、２）壁面状の平坦な表面２ＳＳより構成されている。しかも、表面２ＳＳ上には、複数の突起部２ＰＰが、設けられている。尚、複数の突起部２ＰＰの形状は任意であり、又、表面２ＳＳ上の各突起部２ＰＰの配設位置も任意である。
【００２３】
ここで、図３に示される様に、内容器１の側面部３の外面３ＯＳの内で、段差部２の配設位置に対応する外面部分は切除されている。この点に関して、図３の一点鎖線３ＯＳＡの表示が参照される。この構造により、次の利点が得られる。即ち、塗装作業以外のときには、段差部２を有する内容器１を順次に積層配置しておくことができ、内容器１の置き場所のスペースを比較的に大きく採らないで済ませることが可能となる。
【００２４】
又は、本例の変形例として、図３に一点鎖線３ＯＳＡとして描かれている様に、内容器１の側面部３の外面３ＯＳの内の段差部２の配設位置に対応する外面部分を切除しないこととしても良い。
【００２５】
段差部２の上面２ＴＳは、側面部３の内面３ＩＳの内の所定の一部分から内容器１の内側中心部に向けて突出している。そして、段差部２の全体的に平坦な表面２ＳＳの一端部は、上面２ＴＳの張り出した端部に結合しており、当該結合部分から底面部４の内面４ＩＳに向けて垂直に切立って延在している。そのため、平坦な表面２ＳＳは、内容器１の内側中心部から見て、即ち、正面視に於いて、底面４の内面４ＩＳから垂直に切立った「壁面」を成している。この意味で、平坦な表面２ＳＳは壁面２ＳＳとも称される。
【００２６】
尚、表面乃至は壁面２ＳＳは、垂直面に代えて、全面的又は部分的に所定の角度で傾斜した傾斜面を成していても良い。又は、表面２ＳＳは、多少の凹部又は／及び凸部がある様な、非平坦面であっても良い。
【００２７】
既述の通り、段差部２の配設位置に対応した内容器１の側面部３の外面部分は切除された構成を有する。即ち、図３に示される様に、側面部３の外面３ＯＳは、１）段差部２の上面２ＴＳに全面的に対向した平坦な下面２ＢＳと、２）段差部２の表面２ＳＳに全面的に対向した裏面２ＲＳとを有する。この様な構造とすることの利点は、既述した通りである。
【００２８】
＜内容器１の使用方法・利点＞
本実施の形態１に係る内容器１は、内側に張り出した壁面状の段差部２を有するので、塗料を塗りつける際の道具としてローラーを使用する場合に、その利点を奏する。その場合の余剰な塗料の切り取り処理を模式的に示す図が、図４の縦断面図である。
【００２９】
図４に拡大的に示す様に、ローラー５の先端部の円柱形状の被回転部分５Ｒは、内容器１内に注入された塗料溜まりＰＳに浸漬されて多量の塗料を含んだ状態にて、塗料溜まりＰＳより引き出される。そのままの状態でローラー５を内容器１より取り出したのでは、既述の通り、余剰な塗料が周囲の外部に流れ落ちて付着してしまう。この様な不具合を回避するためには、内容器１よりローラー５を取り出す前の段階に於いて、ローラー５の被回転部分５Ｒを回転させながら全体的にしごいて、余剰な塗料を内容器１内に流し出しておく必要性がある。即ち、ローラー５の被回転部分５Ｒに含まれる塗料の量の最適化の調整処理を必要とする。
【００３０】
本実施の形態では、図４に示される様に、塗料溜まりＰＳより取り出した後のローラー５の被回転部分５Ｒを、段差部２の平坦な表面２ＳＳに押し当てつつ、回転させながら、上方に移動させる。この処理により、ローラー５の被回転部分５Ｒは、全体的に均一にしごかれる。しかも、本例では、複数の突起部２ＰＰが表面２ＳＳ上に配設されているので、ローラー５の被回転部分５Ｒは、壁面２ＳＳに押し当てられた状態のままでの上方への移動時に、突起部２ＰＰからの作用を受ける。そのため、ローラー５の被回転部分５Ｒは、摺動状態にて上方へ移動することなく、ローラー５の回転面が常に回転しながら、均一にしごかれることとなり、余剰な塗料の切り取り量が多くなり、塗料の切り取り処理はより良好となる。勿論、突起部２ＰＰが配設されていない場合でも、表面２ＳＳの面は、完全なツルツルの平面ではなくて、微小な凹凸のある粗面であることが多いので、ローラー５の被回転部分５Ｒはしごかれて、余剰な塗料が内容器１内に流れ落とされる。
【００３１】
以上の通り、本実施の形態に係る内容器１は、１）その段差部２の存在によって、ローラーに含まれる塗料の切り取り処理に適していると共に、２）斜め構造の上端縁３ＵＥＰの存在によって、刷毛の塗料の切り取り処理にも適している。
【００３２】
（付記）
以上、本考案の実施の形態を詳細に開示し記述したが、以上の記述は本考案の適用可能な局面を例示したものであって、本考案はこれに限定されるものではない。即ち、記述した局面に対する様々な修正及び／又は変形例を、この考案の範囲から逸脱することの無い範囲内で考えることが可能である。
【産業上の利用可能性】
【００３３】
本考案は、塗装作業時に用いる塗装容器に嵌合される塗装内容器に適用して好適なものである。
【符号の説明】
【００３４】
１        塗装内容器
２        段差部
２ＴＳ    段差部の上面
２ＳＳ    段差部の表面
２ＰＰ    突起部
３        側面部
３ＩＳ    内面
３ＯＳ    外面
３ＵＥＰ  上端縁
４        底面部
４ＩＳ    内面
５        ローラー
ＰＳ      塗料溜まり
【図１】
0003191051.tif 000003
【図２】
0003191051.tif 000004
【図３】
0003191051.tif 000005
【図４】
0003191051.tif 000006